(57)【要約】【課題】検出装置を新たに設けることなく、レンズ切り替えによって光路中にセットされた対物レンズが目的の対物レンズであるかどうか、を高い精度で安定的に判別することの可能な光ディスク装置を提供する。【解決手段】収差補正素子５を、青色レーザビームＢ１の球面収差を補正するための最適値に設定した状態で、赤色レーザビームＢ２を光検出器９で受光することにより得られるＳ字信号の振幅値と、収差補正素子５を赤色レーザビームＢ２の球面収差を補正するための最適値に設定した状態で、赤色レーザビームＢ２を光検出器９で受光することにより得られるＳ字信号の振幅値と、の比を所定の閾値と比較することにより、合成された光路中に配置されている対物レンズが対物レンズＬａ，Ｌｂのうちのいずれであるかを判別する。判別結果が目的の対物レンズと一致するまで、アクチュエータ８でレンズ切り替えを行う。【選択図】図１
2008108378.tif 000002
【特許請求の範囲】
【請求項１】
青色レーザビームを出射する第１のレーザ光源と、
赤色レーザビームを出射する第２のレーザ光源と、
赤外レーザビームを出射する第３のレーザ光源と、
青色，赤色，赤外の各レーザビームの光路を合成する光路合成素子と、
合成された光路中に配置されて少なくとも１つのレーザビームの球面収差を補正する収差補正素子と、
合成された光路中に配置されて青色レーザビームをそれに対応する光ディスクに対して結像させる第１の対物レンズと、
合成された光路中に配置されて赤色，赤外のレーザビームをそれぞれに対応する光ディスクに対して結像させる第２の対物レンズと、
合成された光路中の所定位置に第１，第２の対物レンズのうちのいずれか一方が位置するようにレンズ切り替えを行うアクチュエータと、
光ディスクで反射したレーザビームを受光して光情報を検出する光検出器と、
各レーザ光源から光ディスクへの光路と光ディスクから光検出器への光路との分岐を行う光路分岐素子と、
を光ピックアップに備えた光ディスク装置であって、
前記収差補正素子を青色レーザビームの球面収差を補正するための最適値に設定した状態で赤色レーザビームを前記光検出器で受光することにより得られるＳ字信号の振幅値と、前記収差補正素子を赤色レーザビームの球面収差を補正するための最適値に設定した状態で赤色レーザビームを前記光検出器で受光することにより得られるＳ字信号の振幅値と、の比を所定の閾値と比較することにより、合成された光路中に配置されている対物レンズが第１，第２の対物レンズのうちのいずれであるかを判別し、判別結果が目的の対物レンズと一致するまで前記アクチュエータでレンズ切り替えを行うことを特徴とする光ディスク装置。
【請求項２】
短波長の第１のレーザビームを出射する第１のレーザ光源と、
長波長の第２のレーザビームを出射する第２のレーザ光源と、
第１，第２のレーザビームの光路を合成する光路合成素子と、
合成された光路中に配置されて少なくとも１つのレーザビームの球面収差を補正する収差補正素子と、
合成された光路中に配置されて第１のレーザビームをそれに対応する光ディスクに対して結像させる第１の対物レンズと、
合成された光路中に配置されて第２のレーザビームをそれに対応する光ディスクに対して結像させる第２の対物レンズと、
合成された光路中の所定位置に第１，第２の対物レンズのうちのいずれか一方が位置するようにレンズ切り替えを行うアクチュエータと、
光ディスクで反射したレーザビームを受光して光情報を検出する光検出器と、
各レーザ光源から光ディスクへの光路と光ディスクから光検出器への光路との分岐を行う光路分岐素子と、
を光ピックアップに備えた光ディスク装置であって、
前記収差補正素子を第１のレーザビームの球面収差を補正するための最適値に設定した状態で第２のレーザビームを前記光検出器で受光することにより得られるＳ字信号の振幅値と、前記収差補正素子を第２のレーザビームの球面収差を補正するための最適値に設定した状態で第２のレーザビームを前記光検出器で受光することにより得られるＳ字信号の振幅値と、を比較することにより、合成された光路中に配置されている対物レンズが第１，第２の対物レンズのうちのいずれであるかを判別することを特徴とする光ディスク装置。
【請求項３】
前記第１のレーザビームが青色レーザビームであり、前記第２のレーザビームが赤色レーザビームであることを特徴とする請求項２記載の光ディスク装置。
【請求項４】
短波長の第１のレーザビームを出射する第１のレーザ光源と、
長波長の第２のレーザビームを出射する第２のレーザ光源と、
第２のレーザビームよりも波長の長い第３のレーザビームを出射する第３のレーザ光源と、
第１〜第３のレーザビームの光路を合成する光路合成素子と、
合成された光路中に配置されて少なくとも１つのレーザビームの球面収差を補正する収差補正素子と、
合成された光路中に配置されて第１のレーザビームをそれに対応する光ディスクに対して結像させる第１の対物レンズと、
合成された光路中に配置されて第２，第３のレーザビームをそれぞれに対応する光ディスクに対して結像させる第２の対物レンズと、
合成された光路中の所定位置に第１，第２の対物レンズのうちのいずれか一方が位置するようにレンズ切り替えを行うアクチュエータと、
光ディスクで反射したレーザビームを受光して光情報を検出する光検出器と、
各レーザ光源から光ディスクへの光路と光ディスクから光検出器への光路との分岐を行う光路分岐素子と、
を光ピックアップに備えた光ディスク装置であって、
前記収差補正素子を第１のレーザビームの球面収差を補正するための最適値に設定した状態で第２のレーザビームを前記光検出器で受光することにより得られるＳ字信号の振幅値と、前記収差補正素子を第２のレーザビームの球面収差を補正するための最適値に設定した状態で第２のレーザビームを前記光検出器で受光することにより得られるＳ字信号の振幅値と、を比較することにより、合成された光路中に配置されている対物レンズが第１，第２の対物レンズのうちのいずれであるかを判別することを特徴とする光ディスク装置。
【請求項５】
前記第１のレーザビームが青色レーザビームであり、前記第２のレーザビームが赤色レーザビームであり、前記第３のレーザビームが赤外レーザビームであることを特徴とする請求項４記載の光ディスク装置。
【請求項６】
前記収差補正素子を第１のレーザビームの球面収差を補正するための最適値に設定した状態で第２のレーザビームを前記光検出器で受光することにより得られるＳ字信号の振幅値と、前記収差補正素子を第２のレーザビームの球面収差を補正するための最適値に設定した状態で第２のレーザビームを前記光検出器で受光することにより得られるＳ字信号の振幅値と、の比を所定の閾値と比較することにより、前記Ｓ字信号の振幅値の比較を行うことを特徴とする請求項２〜５のいずれか１項に記載の光ディスク装置。
【発明の詳細な説明】
【技術分野】
【０００１】
本発明は光ディスク装置に関するものであり、例えば、ＣＤ(compact disc)，ＤＶＤ(digital versatile disc)，ＢＤ(Blu-ray Disc等：青色レーザビームを用いる高密度光ディスク)等の複数の光ディスクに対応した光ディスク装置に関するものである。
【背景技術】
【０００２】
例えば、ＢＤで使用する高ＮＡ(numerical aperture)の青色用の対物レンズと、ＤＶＤ／ＣＤの２波長で使用する赤色／赤外用の対物レンズと、を切り替えて使用する光ピックアップでは、使用する対物レンズが光路中の所定位置にセットされていないと、適正な記録や再生を行うことができない。また、赤色／赤外用の対物レンズにＢＤ用の青色レーザビームを入射させてしまうと、対物レンズの劣化を招くことにもなる。したがって、対物レンズの切り替えミスを防ぐために、光路中にセットされている対物レンズが目的の対物レンズであるかどうか、を判別する必要がある。
【０００３】
上記のような問題を解決するため、従来より様々なタイプの光ディスク装置やレンズ位置検出方法が提案されている。例えば、特許文献１〜４には検出装置を用いてレンズ位置の検出を行う光ピックアップや光ディスク装置が提案されている。また、特許文献５には光ディスクから得られた信号でレンズ位置を検出する光ディスク装置等が提案されている。
【特許文献１】特開平１０−１９８９６９号公報
【特許文献２】特開平９−３０５９８０号公報
【特許文献３】特開平１０−３２６４２３号公報
【特許文献４】特開平９−１８０２１８号公報
【特許文献５】特開２００３−９９９５８号公報
【発明の開示】
【発明が解決しようとする課題】
【０００４】
しかし、特許文献１〜４に記載されている光ディスク装置等では、検出装置を新たに設ける必要があるため、コストアップ，重量増加，大型化等を招いてしまう。特許文献５に記載されている光ディスク装置等では、ディスク反射率のバラツキによって誤判別が生じるおそれがある。
【０００５】
本発明はこのような状況に鑑みてなされたものであって、その目的は、検出装置を新たに設けることなく、レンズ切り替えによって光路中にセットされた対物レンズが目的の対物レンズであるかどうか、を高い精度で安定的に判別することの可能な光ディスク装置を提供することにある。
【課題を解決するための手段】
【０００６】
上記目的を達成するために、第１の発明の光ディスク装置は、青色レーザビームを出射する第１のレーザ光源と、赤色レーザビームを出射する第２のレーザ光源と、赤外レーザビームを出射する第３のレーザ光源と、青色，赤色，赤外の各レーザビームの光路を合成する光路合成素子と、合成された光路中に配置されて少なくとも１つのレーザビームの球面収差を補正する収差補正素子と、合成された光路中に配置されて青色レーザビームをそれに対応する光ディスクに対して結像させる第１の対物レンズと、合成された光路中に配置されて赤色，赤外のレーザビームをそれぞれに対応する光ディスクに対して結像させる第２の対物レンズと、合成された光路中の所定位置に第１，第２の対物レンズのうちのいずれか一方が位置するようにレンズ切り替えを行うアクチュエータと、光ディスクで反射したレーザビームを受光して光情報を検出する光検出器と、各レーザ光源から光ディスクへの光路と光ディスクから光検出器への光路との分岐を行う光路分岐素子と、を光ピックアップに備えた光ディスク装置であって、前記収差補正素子を青色レーザビームの球面収差を補正するための最適値に設定した状態で赤色レーザビームを前記光検出器で受光することにより得られるＳ字信号の振幅値と、前記収差補正素子を赤色レーザビームの球面収差を補正するための最適値に設定した状態で赤色レーザビームを前記光検出器で受光することにより得られるＳ字信号の振幅値と、の比を所定の閾値と比較することにより、合成された光路中に配置されている対物レンズが第１，第２の対物レンズのうちのいずれであるかを判別し、判別結果が目的の対物レンズと一致するまで前記アクチュエータでレンズ切り替えを行うことを特徴とする。
【０００７】
第２の発明の光ディスク装置は、短波長の第１のレーザビームを出射する第１のレーザ光源と、長波長の第２のレーザビームを出射する第２のレーザ光源と、第１，第２のレーザビームの光路を合成する光路合成素子と、合成された光路中に配置されて少なくとも１つのレーザビームの球面収差を補正する収差補正素子と、合成された光路中に配置されて第１のレーザビームをそれに対応する光ディスクに対して結像させる第１の対物レンズと、合成された光路中に配置されて第２のレーザビームをそれに対応する光ディスクに対して結像させる第２の対物レンズと、合成された光路中の所定位置に第１，第２の対物レンズのうちのいずれか一方が位置するようにレンズ切り替えを行うアクチュエータと、光ディスクで反射したレーザビームを受光して光情報を検出する光検出器と、各レーザ光源から光ディスクへの光路と光ディスクから光検出器への光路との分岐を行う光路分岐素子と、を光ピックアップに備えた光ディスク装置であって、前記収差補正素子を第１のレーザビームの球面収差を補正するための最適値に設定した状態で第２のレーザビームを前記光検出器で受光することにより得られるＳ字信号の振幅値と、前記収差補正素子を第２のレーザビームの球面収差を補正するための最適値に設定した状態で第２のレーザビームを前記光検出器で受光することにより得られるＳ字信号の振幅値と、を比較することにより、合成された光路中に配置されている対物レンズが第１，第２の対物レンズのうちのいずれであるかを判別することを特徴とする。
【０００８】
第３の発明の光ディスク装置は、上記第２の発明において、前記第１のレーザビームが青色レーザビームであり、前記第２のレーザビームが赤色レーザビームであることを特徴とする。
【０００９】
第４の発明の光ディスク装置は、短波長の第１のレーザビームを出射する第１のレーザ光源と、長波長の第２のレーザビームを出射する第２のレーザ光源と、第２のレーザビームよりも波長の長い第３のレーザビームを出射する第３のレーザ光源と、第１〜第３のレーザビームの光路を合成する光路合成素子と、合成された光路中に配置されて少なくとも１つのレーザビームの球面収差を補正する収差補正素子と、合成された光路中に配置されて第１のレーザビームをそれに対応する光ディスクに対して結像させる第１の対物レンズと、合成された光路中に配置されて第２，第３のレーザビームをそれぞれに対応する光ディスクに対して結像させる第２の対物レンズと、合成された光路中の所定位置に第１，第２の対物レンズのうちのいずれか一方が位置するようにレンズ切り替えを行うアクチュエータと、光ディスクで反射したレーザビームを受光して光情報を検出する光検出器と、各レーザ光源から光ディスクへの光路と光ディスクから光検出器への光路との分岐を行う光路分岐素子と、を光ピックアップに備えた光ディスク装置であって、前記収差補正素子を第１のレーザビームの球面収差を補正するための最適値に設定した状態で第２のレーザビームを前記光検出器で受光することにより得られるＳ字信号の振幅値と、前記収差補正素子を第２のレーザビームの球面収差を補正するための最適値に設定した状態で第２のレーザビームを前記光検出器で受光することにより得られるＳ字信号の振幅値と、を比較することにより、合成された光路中に配置されている対物レンズが第１，第２の対物レンズのうちのいずれであるかを判別することを特徴とする。
【００１０】
第５の発明の光ディスク装置は、上記第４の発明において、前記第１のレーザビームが青色レーザビームであり、前記第２のレーザビームが赤色レーザビームであり、前記第３のレーザビームが赤外レーザビームであることを特徴とする。
【００１１】
第６の発明の光ディスク装置は、上記第２〜第５のいずれか１つの発明において、前記収差補正素子を第１のレーザビームの球面収差を補正するための最適値に設定した状態で第２のレーザビームを前記光検出器で受光することにより得られるＳ字信号の振幅値と、前記収差補正素子を第２のレーザビームの球面収差を補正するための最適値に設定した状態で第２のレーザビームを前記光検出器で受光することにより得られるＳ字信号の振幅値と、の比を所定の閾値と比較することにより、前記Ｓ字信号の振幅値の比較を行うことを特徴とする。
【発明の効果】
【００１２】
本発明によれば、収差補正素子を第１のレーザビームの球面収差を補正するための最適値に設定した状態で第２のレーザビームを光検出器で受光することにより得られるＳ字信号の振幅値と、収差補正素子を第２のレーザビームの球面収差を補正するための最適値に設定した状態で第２のレーザビームを光検出器で受光することにより得られるＳ字信号の振幅値と、を比較することにより、合成された光路中に配置されている対物レンズが第１，第２の対物レンズのうちのいずれであるかを判別する構成になっているので、検出装置を新たに設けることなく、レンズ切り替えによって光路中にセットされた対物レンズが目的の対物レンズであるかどうか、を高い精度で安定的に判別することができる。対物レンズのＮＡに依存する球面収差の影響を用いるため、ディスク反射率のバラツキによる誤判別をなくすことができ、結果として、高い精度で安定的な判別が可能となり、対物レンズの切り替えミスを防ぐことができる。Ｓ字信号の振幅値の比を所定の閾値と比較することにより、上記Ｓ字信号の振幅値の比較を行うようにすれば、精度がより向上して確実な判別が可能となる。また、対物レンズの劣化のおそれがない長波長の第２のレーザビーム(例えば、赤色レーザビーム)を使用することで、対物レンズの劣化を防ぐことができる。
【発明を実施するための最良の形態】
【００１３】
以下、本発明に係る光ディスク装置の実施の形態等を、図面を参照しつつ説明する。図１に、光ディスク装置の一実施の形態の概略構成を模式的に示す。この光ディスク装置２０は、使用波長の異なる３種類の光ディスク１１に対応する光ピックアップ１０、それを制御する制御部１２等で構成されており、３種類の光ディスク１１のいずれに対しても情報の記録・再生を行うことが可能な構成になっている。
【００１４】
ここで想定している３種類の光ディスク１１とは、例えば、青色レーザ対応(波長４０５ｎｍ)の第１の光ディスク(青色レーザビームを用いる高密度光ディスク；基板厚０．１ｍｍ，ＮＡ＝０．８５)，赤色レーザ対応(波長６５０ｎｍ)の第２の光ディスク(ＤＶＤ；基板厚０．６ｍｍ，ＮＡ＝０．６〜０．６５)，赤外レーザ対応(波長７８０ｎｍ)の第３の光ディスク(ＣＤ；基板厚１．２ｍｍ，ＮＡ＝０．４５〜０．５)である。ただし、その使用波長はこれらに限るものではない。また、その適用対象も光ディスクに限らず、光ディスク以外の光情報記録媒体に対しても本発明は適用可能である。
【００１５】
図１に示す光ピックアップ１０において、１ａは赤色／赤外用の２波長半導体レーザ、１ｂは青色用の半導体レーザ、２はダイクロイックプリズム、３は偏光ビームスプリッター、４はコリメートレンズ、５は収差補正素子、６は立ち上げミラー、７は１／４波長板、８はアクチュエータ、Ｌａは赤色／赤外用の対物レンズ、Ｌｂは青色用の対物レンズ、９は光検出器である。この光ピックアップ１０の光学構成を光路に沿って以下に説明する。
【００１６】
光ピックアップ１０は、発振波長の異なる３つのレーザ光源を有している。つまり、赤色／赤外の２波長半導体レーザ１ａに搭載されている２つ光源と、青色の半導体レーザ１ｂに搭載されている１つ光源と、をレーザ光源として有している。そして、３つのレーザ光源のいずれか１つが点灯することにより、対応する光ディスク１１に対する光情報の記録又は再生が行われる。半導体レーザ１ａ，１ｂから出射したレーザビームＢ１，Ｂ２又はＢ３は、ダイクロイックプリズム２に入射する。ダイクロイックプリズム２は、青色，赤色，赤外の各レーザビームＢ１〜Ｂ３の光路を合成する光路合成素子である。したがって、半導体レーザ１ｂから出射した青色レーザビームＢ１は、ダイクロイックプリズム２を透過し、半導体レーザ１ａから出射した赤色レーザビームＢ２又は赤外レーザビームＢ３は、ダイクロイックプリズム２で反射される。
【００１７】
ダイクロイックプリズム２を出射したレーザビームＢ１，Ｂ２又はＢ３は、偏光ビームスプリッター３に入射する。偏光ビームスプリッター３は、各半導体レーザ１ａ，１ｂから光ディスク１１への光路と光ディスク１１から光検出器９への光路との分岐を行う光路分岐素子であり、往路ではレーザビームＢ１，Ｂ２又はＢ３が偏光ビームスプリッター３を透過するように配置されている。偏光ビームスプリッター３を透過したレーザビームＢ１，Ｂ２又はＢ３は、コリメートレンズ４で平行光となった後、収差補正素子５に入射する。
【００１８】
収差補正素子５は、合成された光路中に配置されて少なくとも１つのレーザビームＢ１，Ｂ２，Ｂ３の球面収差を補正する光学素子である。ここでは、収差補正素子５としてエキスパンダーレンズを想定している。一般に、光ディスクの高密度化に対応するために使用光の短波長化や対物レンズの高ＮＡ化を図ろうとすると、光ディスクの透過層厚さのバラツキによる球面収差の発生が問題となる。例えば、青色レーザビームＢ１を使用する場合、対応する対物レンズＬｂのＮＡが他よりも大きいため、ディスク基板の誤差等による球面収差の発生が問題となる。この球面収差を補正するには、対物レンズＬｂに入射する青色レーザビームＢ１のコリメート度合いを変えればよい。ここでは、収差補正素子５としてのエキスパンダーレンズを構成する負レンズ群と正レンズ群との間の空気間隔(例えば、１枚の負レンズと１枚の正レンズとの空気間隔)を変化させることにより、上記球面収差を補正する構成としている。その収差補正は、セットされている光ディスク１１に対応した初期値の空気間隔に設定することにより行われる。
【００１９】
球面収差を補正する収差補正素子５として、液晶補正素子を光路中に配置することによっても、上記球面収差の補正は可能である。液晶補正素子は、その光入射範囲が対物レンズの光軸を中心とする略円形状の複数の電極パターンで領域分割されている。液晶補正素子に電圧を印加することにより各電極パターン上の液晶の屈折率を変えると、領域毎に透過光の位相が変化する。その位相変化を調整することによって球面収差を補正することができる。その場合の収差補正は、セットされている光ディスク１１に対応した初期値の電圧に設定することにより行われる。
【００２０】
収差補正素子５を出射したレーザビームＢ１，Ｂ２又はＢ３は、立ち上げミラー６で反射された後、１／４波長板７を透過し、光路中の所定位置に配置されている対物レンズＬａ又はＬｂで集光されて、光ディスク１１の記録面に到達し結像する。このとき、青色用の対物レンズＬｂは、青色レーザビームＢ１をそれに対応する光ディスク１１に対して結像させ、赤色／赤外用の対物レンズＬａは、赤色レーザビームＢ２又は赤外レーザビームＢ３をそれぞれに対応する光ディスク１１に対して結像させる。
【００２１】
情報再生時に光ディスク１１の記録面で反射されたレーザビームＢ１，Ｂ２又はＢ３は、対物レンズＬａ又はＬｂ，１／４波長板７を順に通過した後、立ち上げミラー６で反射される。そして、収差補正素子５，コリメートレンズ４を順に透過し、偏光ビームスプリッター３で反射された後、光検出器９の受光面に到達して結像する。光検出器９は、受光したレーザビームＢ１，Ｂ２又はＢ３の光情報を検出し電気信号として出力する。
【００２２】
図１に示す光ピックアップ１０は、フォーカシング，トラッキング等の際に対物レンズＬａ，Ｌｂを移動させるためのアクチュエータ８を備えている。図２に、アクチュエータ８の概略構成を示す。アクチュエータ８は、合成された光路中の所定位置に２つの対物レンズＬａ，Ｌｂのうちのいずれか一方が位置するようにレンズ切り替えを行う機能を有している。図２に示すように、レンズホルダー１５にはトラッキングコイル１７が２箇所に取り付けられており、レンズホルダー１５の周囲に配置された４つのマグネット１６との組み合わせにより、ベース１３上の軸１４を中心としたレンズホルダー１５の回転駆動が行われる。このレンズホルダー１５の回転駆動により、２つの対物レンズＬａ，Ｌｂのうちの一方を光路内に挿入し他方を光路外へ待避させる切り替えが可能となる。
【００２３】
上記２つの対物レンズＬａ，Ｌｂのうち、光ディスク１１と対応する目的の対物レンズが光路中の所定位置にセットされていないと、適正な記録や再生を行うことはできない。したがって、対物レンズＬａ，Ｌｂの切り替えミスを防ぐために、光路中にセットされている対物レンズが目的の対物レンズであるかどうか、を判別する必要がある。その判別を行ってレンズ切り替えを確実に行うため、光ディスク装置２０では以下に説明する制御が制御部１２(図１)によって行われる。
【００２４】
図３に、制御部１２による対物レンズＬａ，Ｌｂの切り替えとその確認の制御を示す。光ディスク装置２０への光ディスク１１のセット等が行われると、光路中にセットすべき目的の対物レンズが決まる。すると、制御部１２は、図３のフローチャートに示す制御動作を開始する。図３に示すフローに入ると、まず目的の対物レンズへの切り替え動作が行われる(＃１０)。この切り替え動作において、レンズホルダー１５の回転の勢いが強すぎたりすると、前記切り替えミスが発生してしまう。ここで切り替えミスが発生した場合、後述するステップ＃２８の判定からこのステップ＃１０の切り替え動作に戻ることになる。
【００２５】
次に、半導体レーザ１ａ(図１)から赤色レーザビームＢ２を出射させる(＃１２)。そして、収差補正素子５を赤色レーザビームＢ２の球面収差を補正するための最適値(すなわち赤色レーザ最適値)に設定し(＃１４)、その設定状態で赤色レーザビームＢ２を光検出器９で受光することによりＳ字信号の振幅値(すなわちＳ字振幅値)Ｓ１を測定する(＃１６)。Ｓ字信号は、光路中の対物レンズＬａ，Ｌｂをアクチュエータ８で上下移動させるフォーカス動作により、得ることができる。１回目のＳ字振幅値Ｓ１の取得(＃１６)が完了したら、収差補正素子５を青色レーザビームＢ１の球面収差を補正するための最適値(すなわち青色レーザ最適値)に設定し(＃１８)、その設定状態で赤色レーザビームＢ２を光検出器９で受光することによりＳ字信号の振幅値(すなわちＳ字振幅値)Ｓ２を測定する(＃２０)。２回目のＳ字振幅値Ｓ２の取得(＃２０)が完了したら、ステップ＃２２の判定に移行する。
【００２６】
光路中に配置されている対物レンズＬａ，Ｌｂと収差補正素子５の設定状態との組み合わせが異なれば、光ディスク装置２０にセットされている光ディスク１１の種類にかかわらず、ステップ＃１６，＃２０で得られるＳ字振幅値Ｓ１，Ｓ２も異なる。図４に、それぞれの組み合わせで得られるＳ字信号及びその振幅値Ｓ１，Ｓ２を示す。図４から分かるように、光路中に配置されている対物レンズとして、赤色／赤外用の対物レンズＬａが選択されている場合、収差補正素子５の設定が赤色レーザ最適値のとき、ある程度の大きさのＳ字振幅Ｓ１(左上欄)を得ることができるが、収差補正素子５の設定が青色レーザ最適値のとき、得られるＳ字振幅値Ｓ２(右上欄)は小さいものとなる。光路中に配置されている対物レンズとして、青色用の対物レンズＬｂが選択されている場合には、上記と逆になる。つまり、収差補正素子５の設定が青色レーザ最適値のとき、ある程度の大きさのＳ字振幅Ｓ２(右下欄)を得ることができるが、収差補正素子５の設定が赤色レーザ最適値のとき、得られるＳ字振幅値Ｓ１(左下欄)は小さいものとなる。
【００２７】
上記のように、光路中に配置されている対物レンズＬａ，Ｌｂと収差補正素子５の設定状態との組み合わせによりＳ字振幅値Ｓ１，Ｓ２が異なることを利用すれば、得られるＳ字振幅値Ｓ１，Ｓ２から光路中に配置されている対物レンズＬａ，Ｌｂを判別することが可能である。この観点から、ステップ＃２２ではＳ字振幅値の比Ｓ１／Ｓ２に対して所定の閾値を設け、Ｓ字振幅の比Ｓ１／Ｓ２が閾値より大きいか否かの判定を行う。この判定で、Ｓ字振幅の比Ｓ１／Ｓ２が閾値より大きい場合、光路中に配置されている対物レンズが赤色／赤外用の対物レンズＬａと判別し(＃２４)、Ｓ字振幅の比Ｓ１／Ｓ２が閾値より大きくない場合、光路中に配置されている対物レンズが青色用の対物レンズＬｂと判別する(＃２６)。ステップ＃２４，＃２６の判別を行った後、判別結果が目的の対物レンズと一致しているか否かを判定する(＃２８)。一致すれば、対物レンズＬａ，Ｌｂの切り替えミスが無いということなので制御動作を終了する。一致しなければ、ステップ＃１０に戻って、判別結果が目的の対物レンズＬａ又はＬｂと一致するまで、アクチュエータ８でレンズ切り替え動作を継続する(＃１０〜＃２８)。これにより、対物レンズＬａ，Ｌｂの切り替えミスを防ぐことができる。
【００２８】
以上説明した光ディスク装置２０のように、収差補正素子５を青色レーザビームＢ１の球面収差を補正するための最適値に設定した状態で、赤色レーザビームＢ２を光検出器９で受光することにより得られるＳ字信号の振幅値Ｓ２と、収差補正素子５を赤色レーザビームＢ２の球面収差を補正するための最適値に設定した状態で、赤色レーザビームＢ２を光検出器７で受光することにより得られるＳ字信号の振幅値Ｓ１と、を比較することにより、合成された光路中に配置されている対物レンズが青色用，赤色／赤外用の対物レンズのうちのいずれであるかを判別する構成にすれば、検出装置を新たに設けることなく、レンズ切り替えによって光路中にセットされた対物レンズＬａ，Ｌｂが目的の対物レンズであるかどうか、を高い精度で安定的に判別することができる。対物レンズＬａ，ＬｂのＮＡに依存する球面収差の影響を用いるため、ディスク反射率のバラツキによる誤判別をなくすことができ、結果として、高い精度で安定的な判別が可能となり、対物レンズの切り替えミスを防ぐことができる。
【００２９】
Ｓ字信号の振幅値の比を所定の閾値と比較することにより(＃２２)、上記Ｓ字信号の振幅値の比較を行うようにすれば、精度がより向上して確実な判別が可能となる。例えば、赤色／赤外用の対物レンズＬａが選択されている場合にＳ１＞Ｓ２であり、青色用の対物レンズＬｂが選択されている場合にＳ１≒Ｓ２であれば、閾値を１．５〜２に設定することが好ましい。また、Ｓ字振幅値の比Ｓ１／Ｓ２の測定値の平均をとって、その中間に閾値を設定することが好ましい。例えば、赤色／赤外用の対物レンズＬａが選択されている場合にＳ１／Ｓ２＝２．５であり、青色用の対物レンズＬｂが選択されている場合にＳ１／Ｓ２＝０．５であれば、閾値＝１．５とすればよい。また、閾値として１を設定すれば、Ｓ字振幅値Ｓ１とＳ字振幅値Ｓ２との大小比較で済むため制御をより簡単に行うことができる。
【００３０】
一般的に、ＤＶＤ／ＣＤ用のレンズ材料は短波長レーザの使用を想定した設計になっていない。このため、短波長の青色レーザビームＢ１が赤色／赤外用の対物レンズＬａに入射すると、対物レンズＬａが溶けたり、対物レンズＬａの表面に設けられているコーティングが剥げたりする等、レンズ劣化が生じてしまう。この光ディスク装置２０では、対物レンズＬａの劣化のおそれがない長波長の赤色レーザビームＢ２を判別に際して使用する構成になっているので、対物レンズＬａの劣化を防ぐことができる。なお、赤色レーザビームＢ２の代わりに赤外レーザビームＢ３を判別に使用した場合でも、同様に対物レンズＬａの劣化を防ぐことができる。
【００３１】
なお、この実施の形態のように赤色／赤外用の対物レンズＬａと青色用の対物レンズＬｂとを切り替える光ピックアップ１０の構成においては、赤色レーザビームＢ２の代わりに赤外レーザビームＢ３を判別に使用するようにしてもよい。また、赤色用の対物レンズと青色用の対物レンズとを切り替える光ピックアップの構成では、赤色レーザビームを判別に使用するようにすればよく、赤外用の対物レンズと青色用の対物レンズとを切り替える光ピックアップの構成では、赤外レーザビームを判別に使用するようにすればよい。
【図面の簡単な説明】
【００３２】
【図１】光ディスク装置の一実施の形態を模式的に示す概略構成図。
【図２】図１中のアクチュエータの概略構成を示す平面図。
【図３】対物レンズの切り替えとその確認の制御を示すフローチャート。
【図４】光路中に配置されている対物レンズと収差補正素子の設定状態との組み合わせにより異なるＳ字振幅を示す説明図。
【符号の説明】
【００３３】
Ｂ１    青色レーザビーム(第１のレーザビーム)
Ｂ２    赤色レーザビーム(第２のレーザビーム)
Ｂ３    赤外レーザビーム(第３のレーザビーム)
Ｌｂ    青色用の対物レンズ(第１の対物レンズ)
Ｌａ    赤色／赤外用の対物レンズ(第２の対物レンズ)
１ｂ    青色用の半導体レーザ(第１のレーザ光源)
１ａ    赤色／赤外用の半導体レーザ(第２，第３のレーザ光源)
２    ダイクロイックプリズム(光路合成素子)
３    偏光ビームスプリッター(光路分岐素子)
４    コリメートレンズ
５    収差補正素子(エキスパンダーレンズ)
６    立ち上げミラー
７    １／４波長板
８    アクチュエータ
９    光検出器
１０    光ピックアップ
１１    光ディスク
１２    制御部
１３    ベース
１４    軸
１５    レンズホルダー
１６    マグネット
１７    トラッキングコイル
２０    光ディスク装置
【図１】
2008108378.tif 000003
【図２】
2008108378.tif 000004
【図３】
2008108378.tif 000005
【図４】
2008108378.tif 000006